(57)【要約】【課題】文献検索後のスクリーニングをより効率よく行うことができる自動めくり方法、更には、スクリーニングするにあたり、テキスト代表箇所と代表イメージを文献単位で自動めくりする機能と、他のイメージ（あるいは他のテキスト項目）をその文献内で自動めくりする機能を実現することを課題とする。【解決手段】自動文献めくりモードにおいては、表示画面に文献のテキストデータ代表箇所と代表図面を文献単位で自動めくりさせ、切換により移行した自動ページめくりモードにおいては、その文献内の他のテキスト（非代表部）あるいは非代表イメージを自動めくりする。【選択図】        図２
2004234430.tif 000002
【特許請求の範囲】
【請求項１】
テキストデータ、及び、代表イメージと複数の非代表イメージからなり、このテキストデータに対応するイメージデータによって構成される文献の集合から、目的の文献を情報端末においてスクリーニングするための自動めくり方法において、
上記テキストデータと上記代表イメージとを文献単位で順次めくりながら情報端末の画面上に表示する自動文献めくりモードを実行している途中で、この情報端末の入力部からのページめくりモード指令信号により、上記代表イメージの画面表示を、上記複数の非代表イメージをその文献内において順次ページめくりしながら表示する自動ページめくりモードで実行するように切り換えること
を特徴とするスクリーニングのための自動めくり方法。
【請求項２】
請求項１に記載されたスクリーニングのための自動めくり方法において、
上記自動ページめくりモードにおいて、この自動ページめくりモードは、情報端末の入力部からの文献めくりモード指令信号により、上記自動文献めくりモードに切り換えられること
を特徴とするスクリーニングのための自動めくり方法。
【請求項３】
請求項１又は請求項２のいずれかに記載されたスクリーニングのための自動めくり方法において、
上記自動ページめくりモードにおいて、その文献の最後の非代表イメージにまでページめくりされたとき、この文献の代表イメージあるいは最初のイメージからのページめくりを繰り返すこと
を特徴とするスクリーニングのための自動めくり方法。
【請求項４】
請求項１又は請求項２のいずれかに記載されたスクリーニングのための自動めくり方法において、
上記自動ページめくりモードにおいて、その文献の非代表イメージの最後にまでページめくりされたとき、この自動ページめくりモードを次の文献からの自動文献めくりモードに切り換えること
を特徴とするスクリーニングのための自動めくり方法。
【請求項５】
請求項１から請求項４までのいずれかに記載されたスクリーニングのための自動めくり方法において、
上記自動文献めくりモードあるいは自動ページめくりモードにおいて、情報端末の入力部からの自動めくり停止指令信号により、そのとき実行されている自動文献めくりあるいは自動ページめくりを停止すること
を特徴とするスクリーニングのための自動めくり方法。
【請求項６】
請求項１から請求項５までのいずれかに記載されたスクリーニングのための自動めくり方法において、
上記テキストデータは、各文献毎にタグにより代表テキストデータ部と複数の非代表テキストデータ部に項目分けされており、
上記自動文献めくりモードにおいては、各文献の上記代表テキストデータ部をその文献の上記代表イメージとともに表示し、
上記自動ページめくりモードにおいて上記非代表イメージが自動ページめくりされる間は、この代表テキストデータ部を表示し続けること
を特徴とするスクリーニングのための自動めくり方法。
【請求項７】
請求項６に記載されたスクリーニングのための自動めくり方法において、
上記自動ページめくりモードは、上記非代表イメージの自動ページめくりに代えて、上記非代表テキストデータ部を上記タグに基づいて自動ページめくりするように切り換えることができること
を特徴とするスクリーニングのための自動めくり方法。
【請求項８】
請求項１から請求項７までのいずれかに記載されたスクリーニングのための自動めくり方法において、
上記テキストデータ、及び、上記イメージデータの代表イメージまたは複数の非代表イメージを最初に表示する前に、上記情報端末が送信要求をサーバに行ったとき、対象となる文献は上記サーバの格納エリアに格納されたのち、上記情報端末に順次送られること
を特徴とするスクリーニングのための自動めくり方法。
【発明の詳細な説明】
【０００１】
【発明の属する技術分野】
本発明はテキストデータと複数イメージデータが一定ルールで蓄積されている情報の集まりを、パソコンの画面など情報端末画面で効率的にスクリーニングするための自動めくり方法に関する。
【０００２】
【従来の技術】
多数の文献、例えば特許公報類、の集合から所望の事項が記載された文献を探し出すために、通常、機械検索が使用される。機械検索手法には、キーワード検索、概念検索等が知られているが、いずれを使用した場合でも、多くの場合ヒットした文献の大多数は、真に必要な事項が記載された文献ではない。このように、ヒットした文献の集合には多数の不要な文献が含まれることから、機械検索の後で、目視等によって、これら文献の集合の中からそれが所望の文献に該当するか否かを判別する作業、つまり、スクリーニング作業が必要となる。
【０００３】
スクリーニングは情報端末（パソコン）上で、表示された１件１件の文献を目視によってその適否を判断する作業であるため、検索者には大きな負担となる。この負担をいくらかでも軽減するため、適宜の時間毎に、順次に、ページを自動送りするための機能（自動ページめくり機能）が備えられているアプリケーションもある。なお、ページの自動めくりは、機械検索によって得られた文献だけを対象に行われるとは限らず、比較的少ない文献数を含む文献集合の中から必要な文献を探し出す場合にも使用可能である。
【０００４】
従来の技術における自動めくり機能は、自動めくりのスピード調整や順おくり、逆おくりなどの指定をすることによって、ページを閲覧する際の効率を上げることに目的が置かれていた。しかし、多数の文献集合から条件指定による検索などを通じて絞込み、さらにその内容を確認していくスクリーニングにおいてはページを順にめくる機能のみでは効率の向上が充分とは言いがたい。
【０００５】
例えば、イメージを対象にしてスクリーニングする場合、従来の自動めくりの機能の中ではスクリーニング対象の文献の全イメージを連続して自動めくりすることになり、その文献がもはや対象とすべき文献でないことが判明したとしても、全イメージにわたり無駄に自動めくりが続けられる結果、スクリーニングすべきイメージ数が増え、結局はそのための時間を大幅に費やすこととなるため実用的ではなかった。
【０００６】
また、現在、特定の情報（文献）を電子媒体として蓄積する際、その文献内の情報に関してタグなどで項目分けされたテキストデータ部分と複数のイメージデータの組み合わせでもって、構成することが多くなっているが、これまでの自動めくり方法では、このような特色ある情報蓄積形態の特徴が充分に活用できているとはいえない。
【０００７】
【特許文献１】
特開平１１−１７５５４９号公報
【特許文献２】
特開２００２−１８２８１５号公報
【０００８】
【発明が解決しようとする課題】
本発明は、上述のような問題に対処し、スクリーニングをより効率よく行うことができるスクリーニングのための自動めくり方法を提供することを課題とし、更には、スクリーニングするにあたり、所定の項目のテキストデータ部分と、その文献を構成する所定数のイメージデータ（好ましくは、文献情報を表現するのにもっとも代表的であると情報蓄積者が判断するイメージデータ）を文献毎に表示するための自動めくり機能と、その表示中の文献を構成するテキストデータ部分の他の項目（上記所定のもの以外のテキストデータ部）もしくは他イメージデータ（つまり、代表イメージデータ以外のイメージデータ）をその文献内で順次表示するための自動めくり機能との双方を有し、使用中、任意にこれらの自動めくり機能を変更することができるようにして、効率的なスクリーニングを実現することを課題とするものである。
【０００９】
【課題を解決するための手段】
上記課題は、以下の手段により解決される。すなわち、第１番目の発明の解決手段は、テキストデータ、及び、代表イメージと複数の非代表イメージからなり、このテキストデータに対応するイメージデータによって構成される文献の集合から、目的の文献を情報端末においてスクリーニングするための自動めくり方法において、上記テキストデータと上記代表イメージとを文献単位で順次めくりながら情報端末の画面上に表示する自動文献めくりモードを実行している途中で、この情報端末の入力部からのページめくりモード指令信号により、上記代表イメージの画面表示を、上記複数の非代表イメージをその文献内において順次ページめくりしながら表示する自動ページめくりモードで実行するように切り換えることを特徴とするスクリーニングのための自動めくり方法である。
【００１０】
第２番目の発明の解決手段は、第１番目の発明のスクリーニングのための自動めくり方法において、上記自動ページめくりモードにおいて、この自動ページめくりモードは、情報端末の入力部からの文献めくりモード指令信号により、上記自動文献めくりモードに切り換えられることを特徴とするスクリーニングのための自動めくり方法である。
【００１１】
第３番目の発明の解決手段は、第１番目または第２番目の発明のスクリーニングのための自動めくり方法において、上記自動ページめくりモードにおいて、その文献の最後の非代表イメージにまでページめくりされたとき、この文献の代表イメージあるいは最初のイメージからのページめくりを繰り返すことを特徴とするスクリーニングのための自動めくり方法である。
【００１２】
第４番目の発明の解決手段は、第１番目または第２番目の発明のスクリーニングのための自動めくり方法において、上記自動ページめくりモードにおいて、その文献の非代表イメージの最後にまでページめくりされたとき、この自動ページめくりモードを次の文献からの自動文献めくりモードに切り換えることを特徴とするスクリーニングのための自動めくり方法である。
【００１３】
第５番目の発明の解決手段は、第１番目から第４番目までの発明のスクリーニングのための自動めくり方法において、上記自動文献めくりモードあるいは自動ページめくりモードにおいて、情報端末の入力部からの自動めくり停止指令信号により、そのとき実行されている自動文献めくりあるいは自動ページめくりを停止することを特徴とするスクリーニングのための自動めくり方法である。
【００１４】
第６番目の発明の解決手段は、第１番目から第５番目までの発明のスクリーニングのための自動めくり方法において、上記テキストデータは、各文献毎にタグにより代表テキストデータ部と複数の非代表テキストデータ部に項目分けされており、上記自動文献めくりモードにおいては、各文献の上記代表テキストデータ部をその文献の上記代表イメージとともに表示し、上記自動ページめくりモードにおいて上記非代表イメージが自動ページめくりされる間は、この代表テキストデータ部を表示し続けることを特徴とするスクリーニングのための自動めくり方法である。
【００１５】
第７番目の発明の解決手段は、第６番目の発明のスクリーニングのための自動めくり方法において、上記自動ページめくりモードは、上記非代表イメージの自動ページめくりに代えて、上記非代表テキストデータ部を上記タグに基づいて自動ページめくりするように切り換えることができることを特徴とするスクリーニングのための自動めくり方法である。
【００１６】
第８番目の発明の解決手段は、第１番目から第７番目までの発明のスクリーニングのための自動めくり方法において、上記テキストデータ、及び、上記イメージデータの代表イメージまたは複数の非代表イメージを最初に表示する前に、上記情報端末が送信要求をサーバに行ったとき、対象となる文献は上記サーバの格納エリアに格納されたのち、上記情報端末に順次送られることを特徴とするスクリーニングのための自動めくり方法である。
【００１７】
【発明の実施の形態】
以下、本発明の具体的な実施形態を示す。図１は、本発明が実施される情報端末（クライアント）とサーバの概要を示すブロック図である。
【００１８】
＊  システム
サーバ１（サーバコンピュータ）にはデータベース１１、検索プログラム１２、格納プログラム１３及び格納エリア１４が備えられており、クライアント２（クライアントコンピュータ、情報端末）から操作することにより、機械検索が行われる。データベース１１には、検索する対象となる多数の文献が蓄積されており、検索プログラム１２はクライアント２から与えられるクエリー等の条件に合致する文献を抽出する。この機械検索は本発明の場合どのような種類のものであってもよい。
【００１９】
検索の結果、合理的な数の文献が抽出されたと判断するとき、検索者はクライアント２から、この文献集合をスクリーニングする旨の送信要求信号を送信し、この送信要求信号を受けたサーバ１は格納プログラム１３に格納処理動作の指令を出す。格納プログラム１３は上記検索によって得られた文献のデータを格納する。クライアント２は、パソコンなどの情報端末であり、通常どおり、マウス、キーボードなどの入力部２２、及び、ＣＲＴ、ＬＣＤ、プリンタ等表示あるいは印刷するための出力部２３を備えている。また、自動めくりプログラム２１は、上記入力部２２からの信号に基づき、出力部２３への各種データ出力及び、通信手段３を介してサーバ１と情報のやりとりをする。
【００２０】
＊  スクリーニング中の自動めくり概要
本発明で自動めくりの対象となる文献集合の各文献は、テキストデータ、及び、対応する代表イメージと複数の非代表イメージからなるイメージデータによって構成される。自動文献めくりモードにおいては、このテキストデータと代表イメージとが文献単位で順次めくられ、情報端末の画面上に表示される。この自動文献めくりモードの途中で、情報端末の入力部を操作してページめくりモード指令信号を送ると、自動文献めくりモードから自動ページめくりモードに切り替わる。この自動ページめくりモードになると、代表イメージの画面表示は、非代表イメージの表示に切り換えられ、その文献の範囲内において複数の非代表イメージが自動的にめくられるようになる。
【００２１】
更に、自動ページめくりモードにおいて、情報端末の入力部から文献めくりモード指令信号を入力すると、この自動ページめくりモードは、自動文献めくりモードに切り換えられる。また、自動ページめくりモードにおいて、その文献の最後の非代表イメージにまでページめくりされたとき、この文献の最初のページからのページめくりを繰り返すようにすることができ、また、設定により、次の文献からの自動文献めくりモードに切り換えることができる。更に、自動文献めくりモードあるいは自動ページめくりモードにおいて、情報端末の入力部からの自動めくり停止指令信号により、そのとき実行されている自動文献めくりあるいは自動ページめくりが停止される。
【００２２】
上記テキストデータは、各文献毎にタグにより代表テキストデータ部と複数の非代表テキストデータ部に項目分けされており、上記自動文献めくりモードにおいては、各文献の代表テキストデータ部をその文献の代表イメージとともに表示し、自動ページめくりモードにおいて非代表イメージが自動ページめくりされる間、この代表テキストデータ部は表示し続けられる。また、自動ページめくりモードにおいては、非代表イメージの自動ページめくりに代えて、非代表テキストデータ部をタグに基づいて自動ページめくりするように切り換えることができる。
【００２３】
テキストデータ、及び、イメージデータの代表イメージまたは複数の非代表イメージを最初に表示する前に、情報端末が送信要求をサーバに行ったとき、対象となる文献のデータはサーバの格納エリアに格納されたのち、情報端末に順次送られる。
【００２４】
＊  データ格納形式
格納エリア１４へ検索結果の文献が格納されるとき、イメージデータがｊｐｇである場合、次のようにルール化されてサーバ１内の格納エリア１４に格納されているものとする。すなわち、このルールは、機械検索によって得られた文献のイメージデータを  ＊＊＊／ｉｍａｇｅ＿ｍ＿ｑ．ｊｐｇ（ここで、ｍは、検索プログラムが検索結果集合を作成する際検索された文献を適宜の順番で並べた文献番号を表す整数値、ｑは文献番号毎にその文献が有するイメージに付されたイメージ番号を表す整数値、＊＊＊／  は後述）とする。
【００２５】
具体的には、文献番号が１でイメージが３番目のときには、＊＊＊／ｉｍａｇｅ＿１＿３．ｊｐｇ、また、文献番号が３０でイメージが５番目のとき  ＊＊＊／ｉｍａｇｅ＿３０＿５．ｊｐｇといった形になる。ｎは自動めくりする対象集合における最終の文献番号であり、これらは１＜＝ｍ＜＝ｎの関係にある。また、ｒは文献番号毎に通常は複数存在する各イメージデータの最終番号であり、ｑには１からｒの整数値が順にはいるので、１＜＝ｑ＜＝ｒという関係にある。
【００２６】
＊  自動文献めくりモード（イメージに関して）
使用者が情報端末入力部２２より自動めくりプログラム２１に文献単位で代表イメージデータ（ｑ＝１）を自動めくり（自動文献めくり）するよう指示すると、自動めくりプログラムはサーバ１上の検索プログラム１２に対して、どの検索回答集合のどのイメージデータの番号（ｑ＝１）を自動めくりするのか、の指示を伝達する。
【００２７】
検索プログラム１２は、格納プログラム１３に対して自動めくりの対象となる各文献番号のイメージデータのデータベース１１上の格納位置と、各々に与えられた文献番号と本件処理で使用するために一意となる格納エリア情報（＊＊＊／）を引き渡す。また、各文献番号単位のイメージデータの番号（ｑ＝１）も引き渡す。なお、この格納エリアは使用者のユーザー認証に使われるＩＤ情報と検索の実行日時などの情報を組合せることなどで一意的にすることができる。
【００２８】
格納プログラム１３は、これらの情報に基づき、イメージデータを上述のルールに基づき、ｑ＝１となるイメージデータをｎ個（検索でヒットした文献の数）格納エリア１４の定められた箇所に格納する。
【００２９】
格納プログラム１３は格納処理が終了後、自動めくりプログラム２１に格納が終了したことを通知し、自動めくりの対象となる最終の文献番号と格納エリア情報（＊＊＊／）を引き渡す。
【００３０】
自動めくりプログラム２１は、＊＊＊／ｉｍａｇｅ＿ｍ＿１．ｊｐｇのイメージデータを、ｍに１からｎの整数値を順に代入しては格納エリア１４よりロードし、情報端末出力部２３に表示する。これにより、イメージデータ部分に関する文献単位での代表イメージデータでの自動めくり（自動文献めくり）が実現される。この際、ｍをカウントアップするスピードをコントロールするためのタイマー機能を実装することで、自動文献めくりのスピードタイミングを変更することができる。
【００３１】
また、自動めくりの開始位置を指定する機能（ｍの値を使用者が自動めくりプログラムに指示する）、自動文献めくりをループさせる機能（ｍの値がｎの値とイコールになったあとは、１からカウントアップする）、自動文献めくりの範囲を指定する機能（ｍに代入される値に範囲を設ける）、逆方向から自動文献めくりする機能（ｎから１に向かってカウントダウンする）、次文献からの自動文献めくりモードに移行させる機能など、自動めくりプログラム２１側に設け自動文献めくりの動きを柔軟に対応させるようにすることができる。
【００３２】
＊  自動ページめくりモード（イメージに関して）
上述のように、自動文献めくりモードでは、代表イメージのみを表示する文献単位での自動めくりが行われるが、更に、本発明では、この自動文献めくりモードとは異なる自動めくり、すなわち、ある文献番号の文献を構成する全てのイメージデータを表示するような自動ページめくりを行わせることができる。これは、例えば以下のようにして実現される。
【００３３】
使用者が情報端末の入力部２２を経由して、自動めくりプログラム２１に、自動ページめくりの指示を行うと、自動めくりプログラム２１は検索プログラム１２に対して、そのとき表示している文献の全イメージデータを要求する。検索プログラム１２は、格納プログラム１３に対して自動めくりの対象となる文献ｍとその全イメージデータのデータベース１１上の格納位置と、本件処理で使用するために一意となる格納エリア情報（＊＊＊／）を引き渡す。ちなみにこの格納エリア情報は前述の自動文献めくりモードの際の格納位置と一致することとなる。
【００３４】
格納プログラム１３はこれらの情報に基づき、イメージデータを上述のルールに基づき、ｑ＝１からｑ＝ｒで表現されるｒ個の全イメージデータを格納エリア１４の定められた箇所に格納する。格納プログラム１３は格納処理が終了後、自動めくりプログラム２１に格納が終了したことを通知し、自動めくりの対象となるイメージデータの最終番号ｒと格納エリア情報（＊＊＊／）を引き渡す。自動めくりプログラム２１は、文献番号ｍの＊＊＊／ｉｍａｇｅ＿ｍ＿ｑ．ｊｐｇのイメージデータに対して、ｑに１からｒの整数値を順に代入しては格納エリア１４よりロードし、情報端末の出力部２３に順次表示する。これにより、ある文献の全一イメージデータに関する自動めくり、すなわち、自動ページめくり機能が実現される。また、この自動ページめくりモードにおいても、自動文献めくりモードのときと同様に、ループさせるための機能、めくり範囲を指定するための機能、逆方向にめくる機能、次文献からの自動文献めくりモードに移行させる機能などを組み込むことができる。
【００３５】
＊  テキストデータの格納と表示
ここではイメージデータの時と同様にクライアントとなる情報端末の自動めくりプログラムからｈｔｔｐでｔｘｔにアクセスする場合に、そのＵＲＬを以下のようにルール化する。
【００３６】
＊＊＊／ｔｅｘｔ＿ｍ．ｔｘｔ
また、テキストデータ内はタブで意味付けされており、例えば
＜ｔｉｔｌｅ＞タイトル＜／ｔｉｔｌｅ＞
＜ｃｏｎｔｅｎｔｓ＿ｎｏ＞情報ＮＯ＜／ｃｏｎｔｅｎｔｓ＿ｎｏ＞
＜ｃｏｎｔｅｎｔｓ１＞テキスト情報１＜／ｃｏｎｔｅｎｔｓ１＞
＜ｃｏｎｔｅｎｔｓ２＞テキスト情報２＜／ｃｏｎｔｅｎｔｓ２＞
とする。
【００３７】
＊  自動文献めくりモード（テキストに関して）
自動文献めくりモードを実行するとき、使用者が情報端末の入力部２２経由で自動めくりプログラム２１に指示を与えると、自動めくりプログラム２１は検索プログラム１２に、スクリーニング対象となる検索結果の文献集合のテキストデータを要求する。検索プログラム１２は、格納プログラム１３に対して自動文献めくりの対象となる各文献のテキストデータのデータベース１１上の格納位置と、各々に与えられた文献番号と本件処理で使用するために一意となる格納エリア情報（＊＊＊／）を引き渡す。格納プログラム１３はこれらの情報に基づき、テキストデータを上述のルールに基づき、タグで意味付けされたテキストデータを文献数ｎ個生成し、定められた格納エリア１４に格納する。
【００３８】
格納プログラム１３は格納処理が終了後、クライアント２の自動めくりプログラムに格納が終了したことを通知し、自動めくりの対象となる最終の文献番号と格納エリア情報（＊＊＊／）を引き渡す。なお、この格納エリア情報はイメージデータを処理するときと同様とすることが好ましいが、相対参照位置にて確定できるルールとすることも可能である。
【００３９】
自動めくりプログラム２１は、＊＊＊／ｔｅｘｔ＿ｍ．ｔｘｔでアクセスできるテキストデータを、ｍに１からｎの整数値を順に代入しては格納エリア１４よりロードし、例えば＜ｔｉｔｌｅ＞タグと＜ｃｏｎｔｅｎｔｓ１＞タグの二つのデータ部分を表示する際、自動めくりプログラムが保有する二つのテキスト表示エリアに各々のタグで区切られたデータ部分を配置し、情報端末（クライアント）の出力部２３に表示する。これにより、テキストデータ部分に関する文献単位での自動めくりが実現される。イメージデータの時と同様に、ｍをカウントアップするスピードを調整可能とすることで、自動めくりのスピード／タイミングを変更することができる。
【００４０】
また、自動めくりの開始位置の指定（ｍの値を使用者が自動めくりプログラムに指示する）、自動めくりのループ（ｍの値がｎの値とイコールになったあとは、１からカウントアップする）、自動めくりの範囲の指定（ｍに代入される値に範囲を設ける）、逆方向からの自動めくり（ｎから１に向かってカウントダウンする）などを任意に選択できるようにすることができる。
【００４１】
＊  自動ページめくり（テキストに関して）
テキストデータのうちの表示部分をタグをキーとして表示するようにしているため、上述のようなタグ＜ｃｏｎｔｅｎｔｓ１＞で区切られるデータ部分のみでなく、＜ｃｏｎｔｅｎｔｓ２＞あるいはその他のタグで区切られるデータ部分を表示させることができる。テキストに関する自動ページめくりはこのタグを利用し、対応するタグを順次切り換えることにより行う。イメージに関する自動ページめくりモードと異なり、テキストの自動ページめくりモードでは、ループさせるための機能、めくり範囲を指定するための機能、逆方向にめくる機能、次文献からの自動文献めくりモードに移行させる機能等は予め順序が決められたタグに基づいて行う。
【００４２】
＊  自動文献めくりにおけるシンクロナイズ
上では特に説明しなかったが、自動文献めくりモードにおいては、代表イメージの自動めくりのプロセスと、テキストデータの代表箇所の自動めくりのプロセスは当然にシンクロナイズさせる。すなわち、特定の文献の代表イメージとテキスト代表箇所とを実質的に同時にロードし、これらを一つの表示画面上に同時表示する。なお、テキストデータは情報量が少ないため、その文献のテキストデータの取得プロセスは一度だけとし、このとき全データを取り込むようにすることができる。
【００４３】
＊  画面表示の推移
図２に画面表示の推移の様子を示す。図２中、表示画面は点線内で表す。スクリーニング段階に入り自動めくりプログラム２１を起動させると、情報端末の出力部２３（画面）には、最初、文献１の代表図（代表イメージ）とテキストデータの代表箇所が表示される。入力部２２から何も入力せず一定の時間経過すると、自動めくりプログラム２１はこの画面を消去し、代わって次の文献２の代表イメージとテキストデータの代表箇所を表示する。矢印は表示の経過を示している。この場合、検索者は文献１の代表図とテキストの代表箇所のみによって、この文献１は目的とする文献に該当しないと考えたからである。
【００４４】
文献２を表示しているとき、代表図のみによってはその文献の適否が判断できないため、他の図を見る必要が生じた場合、検索者は入力部２２を操作して、自動ページめくりモードに入る。自動めくりプログラム２１は自動ページめくり信号をサーバ１に送信し、格納エリア１４からこの文献２の次のイメージ（”図１”）を取得し、代表イメージ（代表図）に代えて次のイメージ、”図１”を表示する。このとき、テキストの代表箇所はそのまま表示し続けられる。一旦自動ページめくりモードに入ると、入力部２２からの入力がなければ、予め決められた時間を経過すると次図（”図２”）が表示され、そのまま”図３”、”図４”と定期的にページめくりが行われる。
【００４５】
例えば、”図４”まで自動ページめくりを行った結果、文献２は不適と判断したときには、入力部２２から文献めくり信号を与えると、次の文献（文献３）からの自動文献めくりモードに移行し、情報端末（クライアント２）は、サーバ１の格納エリア１４から文献３を表示するためのテキストデータと代表イメージのデータを取得し、テキスト代表部分と代表図面を表示する。一方、文献２の”図４”において、この文献２は目的の文献であることが判明したときは、画面上でマークを入れ、同様に入力部２２から文献めくり信号を与え、次文献（文献３）からの文献自動めくりモードに移行する。なお、マークはスクリーニングの終了時に、文献をプリントアウトあるいはファイル出力するための印である。
【００４６】
文献３では、その文献最後の図面（この例では”図８”）にまで、自動ページめくりにされ、先頭のイメージ（”図１”あるいは代表イメージ）の表示に再度還り、続けて”図３”まで自動ページめくりが実行されている。このように末尾まで来たとき、イメージ（図面）の自動めくりをループさせるようにするだけでなく、めくり範囲を指定するための機能、逆方向にめくる機能、次文献からの自動文献めくりモードに移行させる機能など適宜設定することができる。イメージに関する上記例と同様にテキストに関しても同様な表示の推移を行わせることができるが、これについては実質的に重複するため説明を省略する。
【００４７】
＊  特許文献スクリーニングの表示画面例
図３から図６は特許文献検索におけるスクリーニングを例とする表示画面の例である。図３から図５は発明の名称「案件Ａ」という文献について、イメージに関する自動ページめくりが行われている例である。図左半分は、テキストデータの代表箇所、この例では、発明の名称と要約が表示されており、右半分には図面が表示されている。この自動ページめくりモード内でページめくりが行われるとき、最初代表図が表示され、ページめくりの進行とともにこの文献の”図１”、”図２”が自動めくりされる。この間左半分のテキストの表示は変化していない。
【００４８】
図６から図８は、発明の名称「案件Ｃ」という文献について、テキストに関する自動ページめくりが行われている例である。上の例とは逆に右半分の図面は変化しないが、左半分下方の枠内の表示が変化しており、この枠内に「要約」（図６）、「図の詳細な説明１」（図７）、「図の詳細な説明２」（図８）と順次表示が推移している。
【００４９】
これらの図において、ボタン「自動／手動」、「前案件／次案件」、「前ＴＥＸＴ／次ＴＥＸＴ」、「前ｉｍａｇｅ／次ｉｍａｇｅ」、はそれぞれ自動めくりするか否か、自動めくりの方向が次の文献か／前の文献か、前のイメージか／次のイメージかを指示するためのものである。マークは、この文献が目的の文献に適合するときにチェックする。「ＳＴＯＰ」ボタンはこれを押すことにより自動めくりの中断と自動めくりの継続の間を切り換える。
【００５０】
自動文献めくりモードのときには、図３から図４、図５を経ることなく、図６のように代表箇所と代表図面を表示しながら、文献単位で自動めくりが実行される。
【００５１】
【発明の効果】
本発明によれば、例えば代表図面あるいはこれと代表テキスト項目を順次自動めくりすることによってスクリーニングを行い、このスクリーニング途中において注目した情報に関しては、その場で自動めくりを切り替えて、その文献の他の図面あるいは項目、つまり、代表図面以外の図面あるいは代表テキスト項目以外の項目、に対して自動めくりが実行される。これにより文献内容の適否の判断は同一のインターフェースの中で容易に行うことができる。さらに、上記代表テキスト項目及び代表図面のみによって、あるいは、代表図面／テキスト項目を自動めくりしている途中に、その文献の適否について判断がついたためそれ以上の目視が不要となった場合には、余分な自動めくりしない為、スクリーニング時間が短縮されるという効果が生じる。
【図面の簡単な説明】
【図１】本発明が実施される情報端末（クライアント）とサーバの概要を示すブロック図である。
【図２】自動めくりにおける画面表示の推移の様子を示す説明図である。
【図３】特許文献検索におけるスクリーニングを例とする表示画面の例、その１、である。
【図４】同、その２。
【図５】同、その３。
【図６】同、その４。
【図７】同、その５。
【図８】同、その６。
【符号の説明】
１  サーバ
１１  データベース
１２  検索プログラム
１３  格納プログラム
１４  格納エリア
２  クライアント
２１  自動めくりプログラム
２２  入力部
２３  出力部
３  通信手段
【図１】
2004234430.tif 000003
【図２】
2004234430.tif 000004
【図３】
2004234430.tif 000005
【図４】
2004234430.tif 000006
【図５】
2004234430.tif 000007
【図６】
2004234430.tif 000008
【図７】
2004234430.tif 000009
【図８】
2004234430.tif 000010